(57)【特許請求の範囲】
【請求項１】
鋼板とゴム板とを交互に複数積層した積層体の上下端に上部プレートと下部プレートとをそれぞれ取り付け、前記上部プレート及び／又は下部プレートの表面にあらかじめアンカーボルトを螺着した積層ゴム支承体において、
前記上部プレート及び／又は下部プレートの雌ネジ孔の底面に係合凹部を形成すると共に、前記アンカーボルトの螺着部の先端面に、頭部に前記係合凹部に係合する係合凸部を有する連結ボルトを螺着した構造とし、
前記係合凹部が小径な入口部を有する空洞部であって、前記係合凸部が断面台形状又は断面円形状の弾性体であり、前記入口部で前記弾性体を弾性変形させつつ前記空洞部に挿入するようにしたことを特徴とする積層ゴム支承体。
【請求項２】
前記弾性体がゴム又は樹脂からなる請求項１に記載の積層ゴム支承体。
【発明の詳細な説明】
【技術分野】
【０００１】
本発明は積層ゴム支承体に関し、更に詳しくは、あらかじめプレートに螺着したアンカーボルトが、輸送時などにおける振動により緩むことがないようにした積層ゴム支承体に関する。
【背景技術】
【０００２】
建築物や橋梁などの構造物の免震装置又は支持装置として、鋼板とゴム板とを複数積層した積層体の上下に金属製のプレートを取り付けた積層ゴム支承体が用いられている。一般に、この積層ゴム支承体は、プレートに螺着したアンカーボルトを、地盤や橋台などに埋設することにより設置・固定される。一方、積層ゴム支承体が設置される現場は、作業スペースが限られていることが多かったり、あるいは設置位置が指定されていることがあるので、あらかじめアンカーボルトをプレートに螺着した状態で積層ゴム支承体を現地へ輸送することが行われている。そのため、輸送中の振動等により、アンカーボルトの螺着部が緩んで、現地での設置作業に支障をきたすという問題があった。
【０００３】
その対策として、アンカーボルトの螺着部近傍をプレートに溶接したり、螺着部に接着剤を塗布することが行われている。しかしながら、前者の溶接による方法は、溶接で発生する熱によりプレートに損傷が発生するおそれがある。また、後者の接着剤による方法では、アンカーボルトが太径であるため接着力が不十分になることが多い。
【０００４】
このような問題を解決するため、特許文献１は、アンカーボルトの螺着部の少なくとも一部に被覆体を装着してからプレートに螺着するアンカーボルトの固定方法を提案している。
【０００５】
しかし、上記の特許文献１の固定方法では、接着剤を用いた場合と同じく、アンカーボルトが太径になると緩み止めの効果が低下してしまうため、十分なものであるとは言えない。
【先行技術文献】
【特許文献】
【０００６】
【特許文献１】特開２００９−３６２９１号公報
【発明の概要】
【発明が解決しようとする課題】
【０００７】
本発明の目的は、あらかじめプレートに螺着したアンカーボルトが、振動により緩むことがないようにした積層ゴム支承体を提供することにある。
【課題を解決するための手段】
【０００８】
上記の目的を達成する本発明の積層ゴム支承体は、鋼板とゴム板とを交互に複数積層した積層体の上下端に上部プレートと下部プレートとをそれぞれ取り付け、前記上部プレート及び／又は下部プレートの表面にあらかじめアンカーボルトを螺着した積層ゴム支承体において、前記上部プレート及び／又は下部プレートの雌ネジ孔の底面に係合凹部を形成すると共に、前記アンカーボルトの螺着部の先端面に、頭部に前記係合凹部に係合する係合凸部を有する連結ボルトを螺着した構造とし、前記係合凹部が小径な入口部を有する空洞部であって、前記係合凸部が断面台形状又は断面円形状の弾性体であり、前記入口部で前記弾性体を弾性変形させつつ前記空洞部に挿入するようにしたことを特徴とするものである。
【発明の効果】
【０００９】
本発明の積層ゴム支承体によれば、上部プレート及び／又は下部プレートの雌ネジ孔の底面に係合凹部を形成すると共に、アンカーボルトの螺着部の先端面に、頭部に係合凹部に係合する係合凸部を有する連結ボルトを螺着したので、輸送時の振動等によりアンカーボルトの螺着部と下部プレートの雌ネジ孔との間に緩みが発生する場合でも、連結ボルトの係合凸部が雌ネジ孔底面の係合凹部と係合し、かつ連結ボルトとアンカーボルトとの螺着による接続が強まるため、あらかじめプレートに螺着したアンカーボルトの緩みを防止することができる。
【００１０】
本発明では、係合凹部を小径な入口部を有する空洞部から構成し、かつ係合凸部が断面台形状又は断面円形状の弾性体から構成して、入口部で弾性体を弾性変形させつつ空洞部に挿入するようにする。
【００１１】
そのようにすることで、弾性体が入口部に係合して緩み止めとなる一方で、強制的に弾性体を空洞部から引き抜くことが可能となるので連結ボルトを再利用することができる。この弾性体は、一般的な材料であるゴム又は樹脂から形成することが望ましい。
【図面の簡単な説明】
【００１５】
【図１】本発明の実施形態からなる積層ゴム支承体を地盤又は橋台に固定した場合の断面図である。
【図２】図１に示すＸ部の構造を説明する組立図である。
【図３】図１に示すＸ部の一部断面図である。
【図４】下部プレートの雌ネジ孔の形成方法を説明する組立図である。
【図５】他の積層ゴム支承体（参考例）における図１のＸ部に相当する部分の構造を説明する組立図である。
【図６】他の積層ゴム支承体（参考例）における図１のＸ部に相当する部分の一部断面図である。
【発明を実施するための形態】
【００１６】
以下に、本発明の実施の形態について、図面を参照して説明する。
【００１７】
図１は、本発明の実施形態からなる積層ゴム支承体を示す。
【００１８】
この積層ゴム支承体（以下、単に「支承体」という。）は、鋼板１とゴム板２とを上下方向に交互に複数積層して構成した積層体３の上下端に、それぞれ金属製の上部プレート４と下部プレート５とを取り付けたものである。この支承体の設置は、下部プレート５の底面に形成された雌ネジ孔６に雄ネジ部７で螺着するアンカーボルト８を、地盤や橋台などの下部工９に埋設することにより行われる。なお、ここでは下部プレート５のみをアンカーボルト８で固定する場合を例にとるが、上部プレート４をアンカーボルト８により建築物や橋梁などの上部工１０に固定する場合もある。
【００１９】
このような支承体において、下部プレート５とアンカーボルト８との接続は、図２に示すように、下部プレート５の雌ネジ孔６の底面に係合凹部である入口部１１が小径な空胴部１２を形成すると共に、その係合凹部に係合する係合凸部である弾性体１３を頭部に有する細径の連結ボルト１４を、アンカーボルト８の螺着部である雄ネジ部７の先端面に形成された雌ネジ孔１５に螺着することにより行われる。弾性体１３の断面は台形状になっており、その上底部１６は入口部１１よりも小径でかつ下底部１７は大径になっている。
また、下部プレート５の雌ネジ孔６とアンカーボルト８の雌ネジ孔１５のネジの巻き方向は同一になっている。
【００２０】
アンカーボルト８の接続時には、弾性体１３のテーパー部１８が入口部１１に当接すると、弾性体１３が弾性変形して空洞部１２内に挿入可能になると共に、空胴部１２内へ挿入された後は、図３に示すように、弾性体１３の下底部１７が入口部１１に係合するようになる。なお、空洞部１２の入口部１１には、弾性体１３の挿入がスムーズになるように逆テーパー部を形成するのがよい。
【００２１】
このように構成することにより、輸送時の振動等によりアンカーボルト８の螺着部に緩みが発生する場合でも、連結ボルト１４の弾性体１３が雌ネジ孔６の空洞部１２と係合し、かつ連結ボルト１４とアンカーボルト８との螺着による接続が強まるため、アンカーボルト８の緩みを防止することができる。
【００２２】
また、アンカーボルト８に大きな回転力を加えて緩めることにより、弾性体１３を弾性変形させて強制的に空洞部１２から引き抜くことが可能となるため、連結ボルト１４を再利用することができる。
【００２３】
なお、上記のように下部プレート５の雌ネジ孔６の底面に、入口部１１が小径な空洞部１２を形成する方法は、機械加工により行う他に、例えば図４に示すように、雌ネジ孔６を形成した後に、別途制作した内側円の一端部１９が小径となっている環状部品２０を螺着することにより構成することもできる。
【００２４】
弾性体１３の材料としては、ゴム又は樹脂を用いることが望ましい。また、弾性体１３の形状としては、上述した断面が台形状となる円錐台や角錐台の他に、断面が円形状であって外径が入口部１１よりも大径である球体とすることもできる。
【００２５】
図５は、他の積層ゴム支承体（参考例）における一部拡大断面図を示す。
【００２６】
この実施形態においては、係合凹部を断面が逆台形状の空胴部２１から構成すると共に、係合凸部を先割れ状の先端部２２から構成している。この先端部２２の長さは、空洞部２１の深さよりも大きくする。
【００２７】
アンカーボルト８の接続時においては、図６に示すように、連結ボルト１４の先割れ状の先端部２２を空洞部２１へ嵌入させ圧力を加えると、先端部２２は空胴部２１の底面２３に当接した後に塑性変形しながら拡開して、空洞部２１の内斜面に密着するようになる。このようにすることで、連結ボルト１４を再利用することはできない代わりに、確実かつ恒久的にアンカーボルト８の緩みを防止することができるようになる。
【００２８】
空洞部２１の底面２３はなだらかな突状にすることが望ましい。そのようにすることで、連結ボルト１４の先端部２２が拡開しやすくなる。
【００２９】
なお、上述した実施形態は、あらかじめ上部プレート４にアンカーボルト８を螺着して、上部工１０に固定する場合にも適用できることはもちろんである。
【符号の説明】
【００３０】
１  鋼板
２  ゴム板
３  積層体
４  上部プレート
５  下部プレート
６  （下部プレートの）雌ネジ部
７  雄ネジ部
８  アンカーボルト
９  下部工
１０  上部工
１１  入口部
１２  空洞部
１３  弾性体
１４  連結ボルト
１５  （アンカーボルトの）雌ネジ孔
１６  上底部
１７  下底部
１８  テーパー部
１９  内側円の一端部
２０  環状部品
２１  空洞部
２２  先端部
２３  底面
【図１】
0005621355.tif 000002
【図２】
0005621355.tif 000003
【図３】
0005621355.tif 000004
【図４】
0005621355.tif 000005
【図５】
0005621355.tif 000006
【図６】
0005621355.tif 000007